(57)【特許請求の範囲】
【請求項１】
水を供給する給水ポンプと、
前記水を加熱して水−蒸気２相流体を生成する蒸発器と、
前記給水ポンプと前記蒸発器を接続する給水ラインと、
前記蒸発器で生成した前記水−蒸気２相流体を飽和蒸気と飽和水に分離する汽水分離器と、
前記汽水分離器で分離した前記飽和蒸気を加熱して過熱蒸気を生成する過熱器と、
前記過熱器で生成した前記過熱蒸気により回転駆動される蒸気タービンと、
前記過熱器と前記蒸気タービンを接続する主蒸気ラインと、
前記蒸気タービンに接続された発電機と、
前記汽水分離器で分離した前記飽和水を貯留する貯留タンクと、
蓄熱媒体を有する蓄熱装置と、
前記主蒸気ラインと前記蓄熱装置を接続する蓄熱蒸気ラインと、
前記給水ポンプの出口側の前記給水ラインと前記蓄熱装置を接続する蓄熱給水ラインと、
前記貯留タンクの水を前記給水ラインに戻す循環水ラインと、
前記蓄熱装置を通過した後の流体を前記給水ポンプの入口側の前記給水ラインに戻す蓄熱戻りラインを備えた蓄熱式発電プラントにおいて、
前記貯留タンクの内圧を下げることにより前記貯留タンク内の飽和水から飽和蒸気を生成する減圧手段と、
前記貯留タンク内の減圧により生成した前記飽和蒸気を前記蓄熱装置に導入するバイパスラインを設けたことを特徴とする蓄熱式発電プラント。
【請求項２】
請求項１に記載の蓄熱式発電プラントにおいて、
前記蓄熱装置が高温蓄熱装置と低温蓄熱装置の少なくとも２つの蓄熱装置に分割されており、
前記バイパスラインが前記高温蓄熱装置の入口側に接続されていることを特徴とする蓄熱式発電プラント。
【請求項３】
請求項１または２に記載の蓄熱式発電プラントにおいて、
前記バイパスラインによって、前記飽和蒸気と前記貯留タンク内の飽和水をともに前記蓄熱装置に導入されることを特徴とする蓄熱式発電プラント。
【請求項４】
請求項３に記載の蓄熱式発電プラントにおいて、
前記バイパスラインが前記蓄熱戻りラインに接続されて、前記飽和蒸気と前記飽和水がともに前記バイパスラインならびに前記蓄熱戻りラインを通して前記蓄熱装置に導入されることを特徴とする蓄熱式発電プラント。
【請求項５】
請求項３に記載の蓄熱式発電プラントにおいて、
前記給水ポンプの出口側から前記蓄熱装置に向けて蓄熱給水ラインを設け、
前記バイパスラインが前記蓄熱給水ラインに接続されて、前記飽和蒸気と前記飽和水がともに前記バイパスラインならびに前記蓄熱給水ラインを通して前記蓄熱装置に導入されることを特徴とする蓄熱式発電プラント。
【請求項６】
請求項３に記載の蓄熱式発電プラントにおいて、
前記給水ポンプの出口側から前記蓄熱戻りラインに向けて蓄熱給水ラインを設けて、
前記飽和蒸気と前記飽和水がともに前記バイパスラインと前記蓄熱給水ラインと前記蓄熱戻りラインを通して前記蓄熱装置に導入されることを特徴とする蓄熱式発電プラント。
【請求項７】
請求項１ないし６のいずれか１項に記載の蓄熱式発電プラントにおいて、
前記蒸発器と前記過熱器の熱源が太陽光であることを特徴とする蓄熱式発電プラント。
【請求項８】
請求項７に記載の蓄熱式発電プラントにおいて、
前記蒸発器がトラフ式の太陽熱集熱器またはフレネル式の太陽熱集熱器であって、前記過熱器がタワー式の太陽熱集熱器であることを特徴とする蓄熱式発電プラント。
【請求項９】
請求項１ないし６のいずれか１項に記載の蓄熱式発電プラントにおいて、
前記蒸発器と前記過熱器の熱源が燃料の燃焼熱であることを特徴とする蓄熱式発電プラント。
【請求項１０】
給水ポンプを有する給水ラインで水を蒸発器に供給して水−蒸気２相流体を生成し、
前記水−蒸気２相流体を飽和蒸気と飽和水に分離して、
前記飽和蒸気を過熱器で加熱して過熱蒸気を生成し、
主蒸気ラインを通して前記過熱蒸気を蒸気タービンに供給して、前記蒸気タービンならびにその蒸気タービンに接続されている発電機を回転して発電し、
前記飽和水を貯留タンクに貯留して前記給水ラインに戻し、
前記主蒸気ラインを通過する過熱蒸気の一部を蓄熱媒体を有する蓄熱装置に供給して、前記蓄熱媒体との間で熱交換を行い、
前記蓄熱装置を通過した後の流体を前記給水ポンプの入口側の前記給水ラインに戻す蓄熱式発電プラントの運転方法において、
前記貯留タンクの内圧を下げることにより前記貯留タンク内の飽和水から飽和蒸気を生成し、
前記貯留タンクの減圧により生成した前記飽和蒸気を前記蓄熱装置に導入して加熱し過熱蒸気を生成して、その過熱蒸気により前記蒸気タービンを駆動することによって発電する放熱運転モードを有することを特徴とする蓄熱式発電プラントの運転方法。
【請求項１１】
給水ポンプを有する給水ラインで水を蒸発器に供給して水−蒸気２相流体を生成し、
前記水−蒸気２相流体を飽和蒸気と飽和水に分離して、
前記飽和蒸気を過熱器で加熱して過熱蒸気を生成し、
主蒸気ラインを通して前記過熱蒸気を蒸気タービンに供給して、前記蒸気タービンならびにその蒸気タービンに接続されている発電機を回転して発電し、
前記飽和水を貯留タンクに貯留して前記給水ラインに戻し、
前記主蒸気ラインを通過する過熱蒸気の一部を蓄熱媒体を有する蓄熱装置に供給して、前記蓄熱媒体との間で熱交換を行い、
前記蓄熱装置を通過した後の流体を前記給水ポンプの入口側の前記給水ラインに戻す蓄熱式発電プラントの運転方法において、
前記主蒸気ラインを流通する前記過熱蒸気の一部を前記蓄熱装置に供給して、前記蓄熱装置の前記蓄熱媒体と熱交換し、前記蓄熱装置を通過した流体を前記給水ポンプの入口側の前記給水ラインに戻す蓄熱運転モードと、
前記蒸発器に供給された水は前記蒸発器では加熱されずに通過して前記貯留タンクに貯留して、その貯留タンクの内圧を下げることにより前記貯留タンク内の飽和水から飽和蒸気を生成し、その飽和蒸気を前記蓄熱装置に導入して加熱し過熱蒸気を生成して、その過熱蒸気を蒸気タービンに供給して、前記蒸気タービンならびにその蒸気タービンに接続されている発電機を回転して発電する短時間放熱運転モードと、
前記給水ラインから供給された水を直接前記蓄熱装置に供給して、前記蓄熱装置の前記蓄熱媒体と熱交換して過熱蒸気を生成して、前記過熱蒸気を蒸気タービンに供給して、その蒸気タービンならびに前記蒸気タービンに接続されている発電機を回転して発電する長時間放熱運転モードを備えていることを特徴とする蓄熱式発電プラントの運転方法。
【請求項１２】
請求項１０または１１に記載の蓄熱式発電プラントの運転方法において、
前記蓄熱装置が高温蓄熱装置と低温蓄熱装置の少なくとも２つの蓄熱装置に分割されており、
前記貯留タンク内の減圧により生成した前記飽和蒸気を前記高温蓄熱装置に導入することを特徴とする蓄熱式発電プラントの運転方法。
【請求項１３】
請求項１１に記載の蓄熱式発電プラントの運転方法において、
前記主蒸気ラインと前記蓄熱装置を接続する蓄熱蒸気ラインに流量調整弁を設け、
前記蓄熱運転モード時、前記蓄熱装置に供給する過熱蒸気の流量を調整することにより、前記蒸気タービンに供給する過熱蒸気の流量を調整して、前記発電機の出力を調整することを特徴とする蓄熱式発電プラントの運転方法。
【請求項１４】
請求項１０または１１に記載の蓄熱式発電プラントの運転方法において、
前記蒸発器と前記過熱器の熱源が太陽光であることを特徴とする蓄熱式発電プラントの運転方法。
【発明の詳細な説明】
【技術分野】
【０００１】
本発明は、各種燃料の燃焼熱や太陽などの自然エネルギーの熱を利用して、飽和水および過熱蒸気などを発生させるとともに、その一部を熱エネルギーとして貯蔵(蓄熱)し、発電プラントに供給もしくは供給される熱量が少ないときに貯蔵(蓄熱)した熱エネルギーを放出することで、連続的に発電が可能になる蓄熱式発電プラントおよびその運転方法に関するものである。
【背景技術】
【０００２】
図８および図９は、従来の蓄熱式太陽熱発電プラントの一例を示す概略系統図であって、図８は蓄熱式太陽熱発電プラントの蓄熱運転モードの状態を、図９はその発電プラントの放熱運転モードの状態を、それぞれ示している概略系統図である。
【０００３】
なお、図中の実線で示されている系統ラインは運転中使用されている系統ライン、点線で示されている系統ラインは運転中クローズされて使用していない系統ライン、をそれぞれ示している。これは他の図においても同様のことである。
（蓄熱運転モード）
蓄熱式太陽熱発電プラントの蓄熱運転モード時には図８に示すように、給水ポンプ１から供給された水は給水ライン２を通り、給水弁３により流量が調整され、集熱装置４へ送られる。集熱装置４は図示していないが、内部に伝熱管が配置され、その伝熱管の中を水が通り、太陽光を集めて、その熱エネルギーによって水を加熱して過熱蒸気を生成する構成になっている。
【０００４】
集熱装置４で生成した過熱蒸気の一部は主蒸気ライン５を通り、主蒸気弁６により流量が調整され、蒸気タービン７に送られて、蒸気タービン７により発電機８を回転駆動することで発電を行う。蒸気タービン７を通過した蒸気は復水器９で水に戻されて、給水加熱器１０に送られる。
【０００５】
蒸気タービン７の抽気側と給水加熱器１０の間には抽気ライン１２が設けられており、蒸気タービン７からの抽気蒸気は流量調整弁１１により流量が調整されて、給水加熱器１０に送られる。給水加熱器１０に送られた水は、抽気ライン１２からの抽気蒸気により加熱された後、再び給水ポンプ１で集熱装置４に供給される。
【０００６】
集熱装置４で生成した蒸気のうち、主蒸気ライン５から蒸気タービン７に送られる蒸気以外は蓄熱蒸気ライン１３を通り、流量調整弁１４により流量が調整されて、蓄熱装置１５に送られる。蓄熱装置１５では蓄熱媒体との熱交換により、蒸気が有する顕熱および潜熱が蓄熱媒体側に移り蒸気は凝縮水となって、蓄熱戻りライン１６を通り、流量調整弁１７により流量が調整されて、給水ポンプ１の入口側に戻される。
（放熱運転モード）
蓄熱式太陽熱発電プラントの放熱運転モード時には図９に示すように、給水ポンプ１から供給された水は蓄熱給水ライン１８を通り、流量調整弁１９により流量が調整されて、蓄熱装置１５に送られる。蓄熱装置１５では蓄熱媒体からの熱により過熱蒸気を生成し、蒸気タービン７に送られ、蒸気タービン７により発電機８を回転駆動することで発電を行うシステムになっている。
【０００７】
この種の先行技術文献として、例えばＷＯ２０１３／０３４１３９Ａ１（特許文献１）ならびにＷＯ２０１４／０１４０２７Ａ１（特許文献２）などを挙げることができる。
【先行技術文献】
【特許文献】
【０００８】
【特許文献１】ＷＯ２０１３／０３４１３９Ａ１
【特許文献２】ＷＯ２０１４／０１４０２７Ａ１
【発明の概要】
【発明が解決しようとする課題】
【０００９】
図１０は、図８および図９に示されている蓄熱式太陽熱発電プラントにおいて、蓄熱運転モードから放熱運転モードに切り替えた場合の、蒸気タービン７へ供給するのに必要な蒸気量を1としたときに、蓄熱装置１５の出口から取り出せる蒸気量の比の推移を概念的に表した特性図である。
【００１０】
この蓄熱式太陽熱発電プラントでは、蓄熱装置１５に使用する蓄熱媒体の熱容量が大きいため、蓄熱運転モードから放熱運転モードに切り替えても、図１０に示すように、蓄熱装置１５の出口の蒸気量が瞬時には増加しない。そのため定格蒸気量１．０に到達するまでに数時間程度（例えば２時間程度）の時間遅れを伴い、この間の発電量が少ないといった課題がある。
【００１１】
図１１および図１２は、ＷＯ２０１４／０１４０２７Ａ１（特許文献２）に記載されている蓄熱式発電プラントの一例を示す概略系統図であって、図１１は蓄熱式発電プラントの蓄熱運転モードの状態を、図１２はその発電プラントの放熱運転モードの状態を、それぞれ示している概略系統図である。
【００１２】
図１１および図１２において、符号５１は給水ポンプ、５２は給水加熱器、５３は給水弁、５４は貯留タンク、５５は主循環ポンプ、５６は低温集熱装置、５７は汽水分離器、５８は高温集熱装置、５９は主蒸気弁、６０は蒸気タービン、６１は発電機、６２は復水器、６３は低温蓄熱装置、６４は高温蓄熱装置、６５は媒体循環ポンプ、６６は副汽水分離器、６７は副循環ポンプ、６８は昇圧ポンプである。
（蓄熱運転モード）
この蓄熱式発電プラントの蓄熱運転モード時は図１１に示すように、水は給水ポンプ５１により給水加熱器５２に送られ、給水加熱器５２において蒸気タービン６０からの抽気蒸気により予熱された後、貯留タンク５４に貯留される。
【００１３】
貯留タンク５４内の水は主循環ポンプ５５により低温集熱装置５６に送られて、太陽光の熱エネルギーにより加熱されて水−蒸気２相流体となり、生成した水−蒸気２相流体は汽水分離器５７に送られ、飽和蒸気と飽和水に分離される。
【００１４】
飽和蒸気は流量調整弁６９により流量が調整されて、高温集熱装置５８に送られ、太陽光の熱エネルギーにより加熱されて過熱蒸気となる。高温集熱装置５８で生成された過熱蒸気は主蒸気弁５９を通って、蒸気タービン６０に供給される。蒸気タービン６０には発電機６１が接続されており、蒸気タービン６０により発電機６１を回転駆動することで発電が行なわれる。
【００１５】
蒸気タービン６０から排出された排気蒸気は復水器６２により水に戻して、給水加熱器５２へ送られる。蒸気タービン６０の抽気側から抽気された抽気蒸気は給水加熱器５２へ送られて供給された水を加熱し、水は給水ポンプ５１により貯留タンク５４に送給される。
【００１６】
主蒸気弁５９を通った過熱蒸気の一部は分岐点Ｂで分岐され、切替弁７０を通って高温蓄熱装置６４に供給される。この高温蓄熱装置６４において供給された過熱蒸気と第２蓄熱媒体との間で熱交換が行われ、第２蓄熱媒体に熱が蓄えられる。
【００１７】
高温蓄熱装置６４中の第２蓄熱媒体が固まらないように、媒体循環ポンプ６５と流量調整弁７１の作動を制御して、高温蓄熱装置６４の出口の蒸気乾き度が０よりも大きくなるようにしている。
【００１８】
高温蓄熱装置６４を出た蒸気は低温蓄熱装置６３に導入され、低温蓄熱装置６３の内部に収容されている第１蓄熱媒体と熱交換されることで凝縮水となる。凝縮水は昇圧ポンプ６８で昇圧された後、給水ラインに戻されて再び給水として利用される。
（放熱運転モード）
この蓄熱式発電プラントの放熱運転モード時は図１２に示すように、水は給水ポンプ５１により給水加熱器５２に送られ、給水加熱器５２において蒸気タービン６０からの抽気蒸気により予熱された後、分岐点Ａから低温蓄熱装置６３に導入される。
【００１９】
低温蓄熱装置６３に送られた水は、低温蓄熱装置６３に収容されている第１蓄熱媒体と熱交換されて水−蒸気２相流体となり、生成した水−蒸気２相流体は副汽水分離器６６に送られ、飽和蒸気と飽和水に分離される。飽和水は、副循環ポンプ６７で給水ラインに戻されて再び給水として利用される。
【００２０】
一方、飽和蒸気は、高温蓄熱装置６４に供給される。高温蓄熱装置６４に供給された飽和蒸気は、高温蓄熱装置６４に収容されている第２蓄熱媒体と熱交換されて過熱蒸気となり、過熱蒸気は蒸気タービン６０に供給される。そして蒸気タービン６０により発電機６１を回転駆動することで、発電が行なわれるシステムになっている。
【００２１】
この蓄熱式発電プラントも図８および図９に示した蓄熱式太陽熱発電プラントと同様に、高温蓄熱装置６４に使用する第２蓄熱媒体の熱容量が大きいため、蓄熱運転モードから放熱運転モードに切り替えても、高温蓄熱装置６４の出口の蒸気量が瞬時には増加しない。そのため定格蒸気量に到達するまでに数時間程度の時間遅れを伴い、この間の発電量が少ないといった課題は残っている。
【００２２】
本発明は、このような従来技術の実情に鑑みなされたものであり、その目的は、蓄熱運転モードから放熱運転モードに切り替えた直後から必要量の過熱蒸気量を生成することが可能であり、そのために発電量の増加が図れる蓄熱式発電プラントおよびその運転方法を提供することにある。
【課題を解決するための手段】
【００２３】
前記目的を達成するために、第１の本発明は、
水を供給する給水ポンプと、
前記水を加熱して水−蒸気２相流体を生成する蒸発器と、
前記給水ポンプと前記蒸発器を接続する給水ラインと、
前記蒸発器で生成した前記水−蒸気２相流体を飽和蒸気と飽和水に分離する汽水分離器と、
前記汽水分離器で分離した前記飽和蒸気を加熱して過熱蒸気を生成する過熱器と、
前記過熱器で生成した前記過熱蒸気により回転駆動される蒸気タービンと、
前記過熱器と前記蒸気タービンを接続する主蒸気ラインと、
前記蒸気タービンに接続された発電機と、
前記汽水分離器で分離した前記飽和水を貯留する貯留タンクと、
蓄熱媒体を有する蓄熱装置と、
前記主蒸気ラインと前記蓄熱装置を接続する蓄熱蒸気ラインと、
前記給水ポンプの出口側の前記給水ラインと前記蓄熱装置を接続する蓄熱給水ラインと、
前記貯留タンクの水を前記給水ラインに戻す循環水ラインと、
前記蓄熱装置を通過した後の流体を前記給水ポンプの入口側の前記給水ラインに戻す蓄熱戻りラインを備えた蓄熱式発電プラントを対象とするものである。
【００２４】
そして本発明の第１の手段は、
前記貯留タンクの内圧を下げることにより前記貯留タンク内の飽和水から飽和蒸気を生成する減圧手段と、
前記貯留タンク内の減圧により生成した前記飽和蒸気を前記蓄熱装置に導入するバイパスラインを設けたことを特徴とするものである。
【００２５】
本発明の第２の手段は前記第１の手段において、
前記蓄熱装置が高温蓄熱装置と低温蓄熱装置の少なくとも２つの蓄熱装置に分割されており、
前記バイパスラインが前記高温蓄熱装置の入口側に接続されていることを特徴とするものである。
【００２６】
本発明の第３の手段は前記第１または第２の手段において、
前記バイパスラインによって、前記飽和蒸気と前記貯留タンク内の飽和水をともに前記蓄熱装置に導入されることを特徴とするものである。
【００２７】
本発明の第４の手段は前記第３の手段において、
前記バイパスラインが前記蓄熱戻りラインに接続されて、前記飽和蒸気と前記飽和水がともに前記バイパスラインならびに前記蓄熱戻りラインを通して前記蓄熱装置に導入されることを特徴とするものである。
【００２８】
本発明の第５の手段は前記第３の手段において、
前記給水ポンプの出口側から前記蓄熱装置に向けて蓄熱給水ラインを設け、
前記バイパスラインが前記蓄熱給水ラインに接続されて、前記飽和蒸気と前記飽和水がともに前記バイパスラインならびに前記蓄熱給水ラインを通して前記蓄熱装置に導入されることを特徴とするものである。
【００２９】
本発明の第６の手段は前記第３の手段において、
前記給水ポンプの出口側から前記蓄熱戻りラインに向けて蓄熱給水ラインを設けて、
前記飽和蒸気と前記飽和水がともに前記バイパスラインと前記蓄熱給水ラインと前記蓄熱戻りラインを通して前記蓄熱装置に導入されることを特徴とするものである。
【００３０】
本発明の第７の手段は前記第１ないし第６の手段において、
前記蒸発器と前記過熱器の熱源が太陽光であることを特徴とするものである。
【００３１】
本発明の第８の手段は前記第７の手段において、
前記蒸発器がトラフ式の太陽熱集熱器またはフレネル式の太陽熱集熱器であって、前記過熱器がタワー式の太陽熱集熱器であることを特徴とするものである。
【００３２】
本発明の第９の手段は前記第１ないし第６の手段において、
前記蒸発器と前記過熱器の熱源が燃料の燃焼熱であることを特徴とするものである。
【００３３】
前記目的を達成するために、第２の本発明は、
給水ポンプを有する給水ラインで水を蒸発器に供給して水−蒸気２相流体を生成し、
前記水−蒸気２相流体を飽和蒸気と飽和水に分離して、
前記飽和蒸気を過熱器で加熱して過熱蒸気を生成し、
主蒸気ラインを通して前記過熱蒸気を蒸気タービンに供給して、前記蒸気タービンならびにその蒸気タービンに接続されている発電機を回転して発電し、
前記飽和水を貯留タンクに貯留して前記給水ラインに戻し、
前記主蒸気ラインを通過する過熱蒸気の一部を蓄熱媒体を有する蓄熱装置に供給して、前記蓄熱媒体との間で熱交換を行い、
前記蓄熱装置を通過した後の流体を前記給水ポンプの入口側の前記給水ラインに戻す蓄熱式発電プラントの運転方法を対象とするものである。
【００３４】
そして本発明の第１０の手段は、
前記貯留タンクの内圧を下げることにより前記貯留タンク内の飽和水から飽和蒸気を生成し、
前記貯留タンクの減圧により生成した前記飽和蒸気を前記蓄熱装置に導入して加熱し過熱蒸気を生成して、その過熱蒸気により前記蒸気タービンを駆動することによって発電する放熱運転モードを有することを特徴とするものである。
【００３５】
また本発明の第１１の手段は、
前記主蒸気ラインを流通する前記過熱蒸気の一部を前記蓄熱装置に供給して、前記蓄熱装置の前記蓄熱媒体と熱交換し、前記蓄熱装置を通過した流体を前記給水ポンプの入口側の前記給水ラインに戻す蓄熱運転モードと、
前記蒸発器に供給された水は前記蒸発器では加熱されずに通過して前記貯留タンクに貯留して、その貯留タンクの内圧を下げることにより前記貯留タンク内の飽和水から飽和蒸気を生成し、その飽和蒸気を前記蓄熱装置に導入して加熱し過熱蒸気を生成して、その過熱蒸気を蒸気タービンに供給して、前記蒸気タービンならびにその蒸気タービンに接続されている発電機を回転して発電する短時間放熱運転モードと、
前記給水ラインから供給された水を直接前記蓄熱装置に供給して、前記蓄熱装置の前記蓄熱媒体と熱交換して過熱蒸気を生成して、前記過熱蒸気を蒸気タービンに供給して、その蒸気タービンならびに前記蒸気タービンに接続されている発電機を回転して発電する長時間放熱運転モードを備えていることを特徴とするものである。
【００３６】
本発明の第１２の手段は前記第１０または第１１の手段において、
前記蓄熱装置が高温蓄熱装置と低温蓄熱装置の少なくとも２つの蓄熱装置に分割されており、
前記貯留タンク内の減圧により生成した前記飽和蒸気を前記高温蓄熱装置に導入することを特徴とするものである。
【００３７】
本発明の第１３の手段は前記第１１の手段において、
前記主蒸気ラインと前記蓄熱装置を接続する蓄熱蒸気ラインに流量調整弁を設け、
前記蓄熱運転モード時、前記蓄熱装置に供給する過熱蒸気の流量を調整することにより、前記蒸気タービンに供給する過熱蒸気の流量を調整して、前記発電機の出力を調整することを特徴とするものである。
【００３８】
本発明の第１４の手段は前記第１０または第１１の手段において、
前記蒸発器と前記過熱器の熱源が太陽光であることを特徴とするものである。
【発明の効果】
【００３９】
本発明は前述したような構成になっており、蓄熱運転モードから放熱運転モードに切り替えた直後から必要量の過熱蒸気量を生成することが可能であり、そのために発電量の増加が図れる蓄熱式発電プラントおよびその運転方法を提供することができる。
【図面の簡単な説明】
【００４０】
【図１】本発明の第１実施形態に係る蓄熱式発電プラントの運転モードI（蓄熱運転モード）の運転状態を示す概略系統図である。
【図２】この蓄熱式発電プラントの運転モードII（短時間放熱運転モード）の運転状態を示す概略系統図である。
【図３】この蓄熱式発電プラントの運転モードIII（長時間放熱運転モード）の運転状態を示す概略系統図である。
【図４】この実施形態に係る蓄熱式発電プラントにおいて、運転モードIから運転モードIIに切り替え、運転モードIIから運転モードIIIに切り替え、さらに運転モードIIIから運転モードIに切り替えた場合の、蓄熱装置出口の蒸気量比率の推移を概念的に表した特性図である。
【図５】本発明の第２実施形態に係る蓄熱式発電プラントの運転モードI（蓄熱運転モード）の運転状態を示す概略系統図である。
【図６】この蓄熱式発電プラントの運転モードII（短時間放熱運転モード）の運転状態を示す概略系統図である。
【図７】この蓄熱式発電プラントの運転モードIII（長時間放熱運転モード）の運転状態を示す概略系統図である。
【図８】従来の蓄熱式発電プラントの蓄熱運転モードの状態を示す概略系統図である。
【図９】この蓄熱式発電プラントの放熱運転モードの状態を示す概略系統図である。
【図１０】この従来の蓄熱式発電プラントにおいて、蓄熱運転モードから放熱運転モードに切り替えた場合の、蓄熱装置出口の蒸気量比率の推移を概念的に表した特性図である。
【図１１】特許文献２に記載された蓄熱式発電プラントの蓄熱運転モードの状態を示す概略系統図である。
【図１２】この蓄熱式発電プラントの放熱運転モードの状態を示す概略系統図である。
【発明を実施するための形態】
【００４１】
次に本発明の実施形態を図面とともに説明する。  
（第１実施形態）
図１〜３は本発明の第１実施形態に係る蓄熱式発電プラントの概略系統図であり、図１はその蓄熱式発電プラントの運転モードI（蓄熱運転モード）の運転状態、図２は運転モードII（短時間放熱運転モード）の運転状態、図３は運転モードIII（夜間運転を含む長時間放熱運転モード）の運転状態、をそれぞれ示す概略系統図である。
【００４２】
まず、この第１実施形態に係る蓄熱式発電プラントの概略構成について図１を用いて説明する。  
【００４３】
図１に示すように、水を供給する給水ポンプ１と、供給された水から水−蒸気２相流体を生成する蒸発器２０の間は給水ライン２で接続されており、給水ライン２上には給水流量を調整する給水弁３が設置されている。
【００４４】
蒸発器２０で生成した水−蒸気２相流体は、汽水分離器２１に送られて飽和蒸気と飽和水に分離される。汽水分離器２１で分離された飽和蒸気は飽和蒸気ライン２２を通り、過熱蒸気を生成する過熱器２３に送られる。
【００４５】
一方、汽水分離器２１で分離された飽和水は貯留タンク２４に送られて貯留され、貯留タンク２４内の水を給水ライン２に戻すための循環水ライン２５が貯留タンク２４と給水ライン２の間に設けられている。循環水ライン２５上には、循環ポンプ２６と流量調整弁２７が設置されている。
【００４６】
過熱器２３で生成した過熱蒸気は主蒸気ライン５を通って蒸気タービン７に供給され、主蒸気ライン５上には過熱蒸気流量を調整する主蒸気弁６が設置されている。蒸気タービン７には発電機８が接続されており、蒸気タービン７により発電機８を回転駆動することで発電が行なわれる。
【００４７】
蒸気タービン７から排出された排気蒸気は復水器９により水に戻して、給水加熱器１０へ送られる。蒸気タービン７の抽気側から給水加熱器１０へ向けて抽気ライン１２が延びており、抽気ライン１２上には抽気蒸気流量を調整するための流量調整弁１１が設置されている。
【００４８】
主蒸気ライン５上の主蒸気弁６出口側と蓄熱媒体を用いた蓄熱装置１５の間は蓄熱蒸気ライン１３で接続されており、蓄熱蒸気ライン１３上には過熱蒸気流量を調整するための流量調整弁１４が設置されている。
【００４９】
蓄熱装置１５の出口側から給水ポンプ１の入口側に向けて蓄熱戻りライン１６が延びており、蓄熱戻りライン１６上には流量調整弁１７が設置され、蓄熱装置１５を通過したした後の流体を給水ライン２に戻すようになっている。
【００５０】
また、給水ポンプ１の出口側の給水ライン２から蓄熱戻りライン１６に向けて蓄熱給水ライン１８が延びており、蓄熱給水ライン１８上には給水流量を調整するための流量調整弁１９が設置されて、給水ライン２からの水を蓄熱給水ライン１８を通して、蓄熱装置１５へ供給できるようになっている。
【００５１】
さらに、貯留タンク２４と蓄熱給水ライン１８の間にバイパスライン２８が設けられており、バイパスライン２８上には減圧弁２９が設置されて、貯留タンク２４の内圧が減圧できるようになっている。
【００５２】
蒸発器２０ならびに過熱器２３としては、例えば化石燃料の燃焼熱を利用した熱交換器、あるいは太陽熱を利用した熱交換器などが用いられる。
【００５３】
太陽熱を利用した熱交換器を用いる場合、例えば蒸発器２０は、樋状に延びた集光ミラーの内周曲面の上方に伝熱管を配置し、太陽光を集光ミラーで伝熱管に集光することにより、伝熱管内を流通する水を加熱して水−蒸気２相流体を生成するトラフ式の熱交換器（太陽熱集熱器）、または略平面状の集光ミラーを多数並べて、その集光ミラー群の上方に伝熱管を配置し、太陽光を集光ミラー群で伝熱管に集光することにより、伝熱管内を流通する水を加熱して水−蒸気２相流体を生成するフレネル式の熱交換器（太陽熱集熱器）を用いるとよい。これらトラフ式の熱交換器またはフレネル式の熱交換器は、地上に設置される。
【００５４】
一方、過熱器２３は、所定の高さを有するタワーの上に伝熱管パネルを設置して、多数の集光ミラーを地上に設置して、太陽光を集光ミラー群でタワー上の伝熱管パネルに集光することにより、伝熱管内を流通する蒸気を加熱して過熱蒸気を生成するタワー式の熱交換器（太陽熱集熱器）を用いるとよい。
【００５５】
蓄熱装置１５に用いられる蓄熱媒体としては、例えば硝酸カリウムや硝酸ナトリウムなどの硝酸塩系の溶融塩が用いられる。
（蓄熱運転モード）
このように構成された蓄熱式発電プラントの運転モードI（蓄熱運転モード）では図１に示すように、水は給水ポンプ１により供給され、給水ライン２を通って、蒸発器２０に送られる。蒸発器２０に供給された水は化石燃料の燃焼もしくは太陽光の集光などにより加熱することで、水−蒸気２相流体を生成する。
【００５６】
蒸発器２０で生成した水−蒸気２相流体は汽水分離器２１に送られ、汽水分離器２１において飽和蒸気と飽和水に分離され、飽和蒸気は飽和蒸気ライン２２を通って過熱器２３に供給されて、さらに化石燃料の燃焼もしくは太陽光の集光などにより加熱されて過熱蒸気を生成する。
【００５７】
一方、汽水分離器２１で分離された飽和水は貯留タンク２４に入り、循環水ライン２５に設置された循環ポンプ２６により給水ライン２に戻される。この運転モードI（蓄熱運転モード）では、減圧弁２９は閉止の状態になっており、従ってバイパスライン２８はクローズされて使用していない（点線で表示されている）。
【００５８】
過熱器２３で生成した過熱蒸気は、主蒸気ライン５を通って蒸気タービン７に供給され、蒸気タービン７に接続されている発電機８を回転駆動することで発電を行う。  
【００５９】
蒸気タービン７からの排気蒸気は復水器９で水に戻され、給水加熱器１０で加熱され、再び給水ポンプ１により供給される。
【００６０】
主蒸気ライン５を流通する過熱蒸気の一部は、蓄熱蒸気ライン１３の流量調整弁１４を通って蓄熱装置１５に供給される。過熱蒸気は蓄熱装置１５において、蓄熱媒体と熱交換し、高温の過熱蒸気がもつ熱エネルギーの一部が蓄熱体に移動することにより蓄熱される。
【００６１】
なお、この流量調整弁１４によって蓄熱装置１５に供給される過熱蒸気の流量を調整することで、蒸気タービン７に供給する過熱蒸気の流量を調整して、発電機８の出力を所定の値に維持するようになっている。
【００６２】
蓄熱装置１５を通過した過熱蒸気は凝縮水となり、蓄熱戻りライン１６を通って給水ライン２に設置されている給水ポンプ１の入口側に戻される。
（短時間放熱運転モード）
この蓄熱式発電プラントの運転モードII（短時間放熱運転モード）では、図２に示すように、水は給水ポンプ１により供給され、給水ライン２を通って、蒸発器２０に送られる。蒸発器２０では給水は加熱されず、内部に残留した飽和水は汽水分離器２１を通過し、貯留タンク２４に貯留される。
【００６３】
貯留タンク２４は、給水ライン２に設置されている給水ポンプ１の出口と蓄熱戻りライン１６とを接続する蓄熱給水ライン１８にバイパスライン２８で接続されている。
【００６４】
このバイパスライン２８上に設置された減圧弁２９の開度を調整することにより、貯留タンク２４の圧力を下げ、飽和水から飽和蒸気を生成するとともに、飽和蒸気の生成量を調整し、飽和蒸気と飽和水がともに蓄熱装置１５に供給される。
【００６５】
飽和蒸気は蓄熱装置１５において、蓄熱媒体と熱交換することで過熱蒸気となり、蒸気タービン７に供給され、蒸気タービン７を回転駆動することで、蒸気タービン７に接続された発電機８で発電する。
（長時間放熱運転モード）
この蓄熱式発電プラントの運転モードIII（夜間運転を含む長時間放熱運転モード）では、図３に示すように、給水ライン２の給水を蓄熱給水ライン１８を介して蓄熱装置１５に供給し、蓄熱媒体からの熱によって過熱蒸気となり、蒸気タービン７に供給され、蒸気タービン７を回転駆動することで、それに接続された発電機８で発電するシステムになっている。
【００６６】
この運転モードIII（夜間運転を含む長時間放熱運転モード）でも、減圧弁２９は閉止の状態になっており、従ってバイパスライン２８はクローズされて使用していない。
【００６７】
図４は、この実施形態に係る蓄熱式発電プラントにおいて、運転モードIから運転モードIIに切り替え、運転モードIIから運転モードIIIに切り替え、さらに運転モードIIIから運転モードIに切り替えた場合の蒸気タービン７へ供給するのに必要な蒸気量を1としたときに、蓄熱装置１５の出口から取り出せる蒸気量の比の推移を概念的に表した特性図である。図中に従来例も点線で併記している。
【００６８】
この図４に示すように、本実施形態に係る蓄熱式発電プラントでは、運転モードIから運転モードIIへの切り替え直後から必要な過熱蒸気量の生成が可能であり、その後も必要な過熱蒸気量の確保ができている。
【００６９】
次に、各運転モードの切り替え手順について説明する。  
【００７０】
運転モードIから運転モードIIへの切り替えは、主蒸気弁６を閉止、流量調整弁１７を閉止、循環ポンプ２６を停止、流量調整弁２７を閉止、バイパスライン２８に設置された減圧弁２９を開放の順に行い、減圧弁２９の開度により、蓄熱装置１５に供給する飽和蒸気量を調整する。
【００７１】
運転モードIIから運転モードIIIへの切り替えは、給水弁３を閉止、減圧弁２９を閉止、流量調整弁１９を開放の順に行い、流量調整弁１９の開度により、蓄熱装置１５に供給する水の流量を調整する。
【００７２】
運転モードIIIから運転モードIへの切り替えは、給水弁３を開放、流量調整弁２７を開放、循環ポンプ２６を起動、流量調整弁１９を閉止、主蒸気弁６を開放、流量調整弁１７を開放の順で行う。
【００７３】
また、運転モードIIから運転モードIへの切り替えは、前述した運転モードIから運転モードIIへの切り替えの逆の手順で行う。さらに、運転モードIIIから運転モードIIへの切り替えは、前述した運転モードIIから運転モードIIIへの切り替えの逆の手順で行う。
（第２実施形態）
図５〜７は本発明の第２実施形態に係る蓄熱式発電プラントの概略系統図であり、図５はその蓄熱式発電プラントの運転モードI（蓄熱運転モード）の運転状態、図６は運転モードII（短時間放熱運転モード）の運転状態、図７は運転モードIII（夜間運転を含む長時間放熱運転モード）の運転状態、をそれぞれ示す概略系統図である。
【００７４】
本実施形態において前記第１実施形態と相違する点は、次の２点である。  
【００７５】
その第１点は、第１実施形態では１つの蓄熱装置１５を使用したが、本実施形態では例えば図６に示すように、蓄熱装置を高温蓄熱装置３０と低温蓄熱装置３１の２つに分割した点である。
【００７６】
その第２点は、例えば図６に示すように、高温蓄熱装置３０と低温蓄熱装置３１の間が蓄熱戻りライン１６の一部で接続されており、貯留タンク２４から延びたバイパスライン２８の先端部が、その高温蓄熱装置３０と低温蓄熱装置３１を連結する部分の蓄熱戻りライン１６に接続されている点である。
【００７７】
高温蓄熱装置３０に用いる蓄熱媒体としては、例えば硝酸カリウムや硝酸ナトリウムなどの硝酸塩系の溶融塩が用いられる。また、低温蓄熱装置３１に用いる蓄熱媒体としては、例えば相変化蓄熱媒体である硝酸リチウムが用いられる。
（蓄熱運転モード）
この蓄熱式発電プラントの運転モードI（蓄熱運転モード）では、図５に示すように、水は給水ポンプ１により供給され、給水ライン２を通って、蒸発器２０に送られる。蒸発器２０に供給された水は化石燃料の燃焼もしくは太陽光の集光により加熱することで、水−蒸気２相流体を生成する。
【００７８】
蒸発器２０で生成した水−蒸気２相流体は、汽水分離器２１において飽和蒸気と飽和水に分離され、飽和蒸気は飽和蒸気ライン２２を通って過熱器２３に供給されて、さらに化石燃料の燃焼もしくは太陽光の集光により加熱されて過熱蒸気を生成する。
【００７９】
一方、汽水分離器２１で分離された飽和水は貯留タンク２４に入り、循環水ライン２５に設置された循環ポンプ２６により給水ライン２に戻される。この運転モードI（蓄熱運転モード）では、減圧弁２９は閉止の状態になっており、従ってバイパスライン２８はクローズされて使用していない（点線で表示されている）。
【００８０】
過熱器２３で生成した過熱蒸気は、主蒸気ライン５を通って蒸気タービン７に供給され、蒸気タービン７に接続されている発電機８を回転駆動することで発電を行う。
【００８１】
蒸気タービン７からの排気蒸気は復水器９で水に戻され、給水加熱器１０で加熱され、再び給水ポンプ１により供給される。
【００８２】
主蒸気ライン５を流通する過熱蒸気の一部は、蓄熱蒸気ライン１３の流量調整弁１４を通って  高温蓄熱装置３０および低温蓄熱装置３１を順次通過することにより、各蓄熱媒体と熱交換し、高温の過熱蒸気がもつ熱エネルギーの一部が蓄熱媒体に移動することにより蓄熱される。
【００８３】
高温蓄熱装置３０および低温蓄熱装置３１を通過した蒸気は凝縮水となり、蓄熱戻りライン１６を通って給水ライン２に設置されている給水ポンプ１の入口側に戻される。
（短時間放熱運転モード）
この蓄熱式発電プラントの運転モードII（短時間放熱運転モード）では、図６に示すように、水は給水ポンプ１により供給され、給水ライン２を通って、蒸発器２０に送られる。蒸発器２０では給水は加熱されず、内部に残留した飽和水は汽水分離器２１を通過し、貯留タンク２４に貯留される。
【００８４】
貯留タンク２４は、給水ライン２に設置されている給水ポンプ１の出口と蓄熱戻りライン１６とを接続する蓄熱給水ライン１８にバイパスライン２８で接続されている。
【００８５】
バイパスライン２８上に設置された減圧弁２９を開放し、減圧弁２９の開度を調整することにより貯留タンク２４の圧力を下げて、飽和水から飽和蒸気を瞬時に生成するとともに、飽和蒸気の生成量を調整し、バイパスライン２８を通して高温蓄熱装置３０に供給される。
【００８６】
飽和蒸気は高温蓄熱装置３０において、蓄熱媒体と熱交換することで過熱蒸気となり、蒸気タービン７に供給され、蒸気タービン７を回転駆動することで、蒸気タービン７に接続された発電機８で発電する。
（長時間放熱運転モード）
この蓄熱式発電プラントの運転モードIII（夜間運転を含む長時間放熱運転モード）では、図７に示すように、給水ライン２の給水を、蓄熱給水ライン１８を介して低温蓄熱装置３１および高温蓄熱装置３０に供給し、蓄熱媒体からの熱によって過熱蒸気となり、蒸気タービン７に供給され、蒸気タービン７を回転駆動することで、それに接続された発電機８で発電するシステムとなっている。
【００８７】
この運転モードIII（夜間運転を含む長時間放熱運転モード）でも、減圧弁２９は閉止の状態になっており、従ってバイパスライン２８はクローズされて使用していない。
【００８８】
本実施形態に係る蓄熱式発電プラントにおいても図４と同様に、運転モードIから運転モードIIへの切り替え直後から必要な過熱蒸気量の生成が可能である。
【００８９】
次に、各運転モードの切り替え手順について説明する。  
【００９０】
運転モードIから運転モードIIへの切り替えは、主蒸気弁６を閉止、流量調整弁１７を閉止、循環ポンプ２６を停止、流量調整弁２７を閉止、バイパスライン２８に設置された減圧弁２９を開放の順に行い、減圧弁２９の開度により、高温蓄熱装置３０に供給する飽和蒸気量を調整する。
【００９１】
運転モードIIから運転モードIIIへの切り替えは、給水弁３を閉止、減圧弁２９を閉止、流量調整弁１９を開放の順に行い、流量調整弁１９の開度により、低温蓄熱装置３１および高温蓄熱装置３０に供給する水の流量を調整する。
【００９２】
運転モードIIIから運転モードIへの切り替えは、給水弁３を開放、流量調整弁２７を開放、循環ポンプ２６を起動、流量調整弁１９を閉止、主蒸気弁６を開放、流量調整弁１７を開放の順で行う。
【００９３】
また、運転モードIIから運転モードIへの切り替えは、前述した運転モードIから運転モードIIへの切り替えの逆の手順で行う。さらに、運転モードIIIから運転モードIIへの切り替えは、前述した運転モードIIから運転モードIIIへの切り替えの逆の手順で行う。
【００９４】
前記第１、第２実施形態では、蒸発器２０および過熱器２３の加熱源として、化石燃料の燃焼熱もしくは太陽熱を利用しているが、加熱源はこれらに限定されるものではなく、例えば地熱、バイオマス燃料あるいは原子力エネルギーなど他の加熱源を使用することもできる。
【００９５】
さらに、蒸発器２０と過熱器２３の加熱源を同一のエネルギー源とする必要はない。例えば、蒸発器２０の加熱源として化石燃料の燃焼熱を用い、過熱器２３の加熱源として太陽熱を用いるという組み合わせを含めて、多種多様な実施形態が可能である。
【００９６】
前記第１実施形態の蓄熱装置１５ならびに第２実施形態の高温蓄熱装置３０と低温蓄熱装置３１は、蓄熱して、放熱運転モード時に供給された水から過熱蒸気を生成し得る構成であれば、装置の形態などは特に限定されるものではない。
【００９７】
蓄熱装置のシステム構成としては、蓄熱媒体と蒸気タービンの作動流体となる水−蒸気系とが熱交換器を介して熱交換されるものであればよく、蓄熱媒体は当該熱交換器と一体の蓄熱槽に蓄えられているものや、熱交換器とは別に、前記作動流体（水−蒸気系）を加熱するための高温の蓄熱媒体を蓄える高温蓄熱槽と、加熱（放熱）後に温度が下がった低温の蓄熱媒体を蓄える低温蓄熱槽を備えたものなど、各種の蓄熱装置が適用可能である。
【００９８】
前記第２実施形態では蓄熱装置を高温蓄熱装置３０と低温蓄熱装置３１の２つに分割しているが、必要に応じて例えば高温蓄熱装置と中温蓄熱装置と低温蓄熱装置などのように蓄熱装置を３つ以上に分割することも可能である。
【００９９】
前記第１実施形態では、例えば図２に示すように、蓄熱装置１５を通過後の流体を給水ポンプ１の入口側の給水ライン２に戻す蓄熱戻りライン１６を設け、さらに給水ポンプ１の出口側から蓄熱戻りライン１６に向けて蓄熱給水ライン１８を設け、さらに貯留タンク２４から蓄熱給水ライン１８に向けてバイパスライン２８を設けられている。
【０１００】
そして、貯留タンク２４内の減圧操作によって生成した飽和蒸気と貯留タンク２４内の飽和水がともに、バイパスライン２８→蓄熱給水ライン１８の実線部分→蓄熱戻りライン１６の実線部分を通して蓄熱装置１５に導入されるようになっている。
【０１０１】
すなわち、この第１実施形態では、蓄熱給水ライン１８の実線部分ならびに蓄熱戻りライン１６の実線部分がバイパスラインを兼ねた構成になっている。
【０１０２】
また、第２実施形態では、例えば図６に示すように、高温蓄熱装置３０と低温蓄熱装置３１を連結する蓄熱戻りライン１６に、貯留タンク２４から延びたバイパスライン２８が接続されている。
【０１０３】
そして、貯留タンク２４内の減圧操作によって生成した飽和蒸気と貯留タンク２４内の飽和水がともに、バイパスライン２８→蓄熱戻りライン１６の連結部分を通して高温蓄熱装置３０に導入されるようになっている。
【０１０４】
すなわち、この第２実施形態では、蓄熱戻りライン１６の連結部分がバイパスラインを兼ねた構成になっている。
【０１０５】
本発明はこのような構成に限定されるものではなく、例えばバイパスラインを蓄熱装置１５，３０に直接接続することも可能である。
【０１０６】
また、蓄熱装置１５，３０，３１を通過後の流体を給水ポンプ１の入口側の給水ライン２に戻す蓄熱戻りライン１６を設け、バイパスライン２８が蓄熱戻りライン１６に接続されて、飽和蒸気と飽和水がともにバイパスライン２８ならびに蓄熱戻りライン１６を通して蓄熱装置１５，３０に導入することも可能である。
【０１０７】
さらに給水ポンプ１の出口側から蓄熱装置１５，３０，３１に向けて蓄熱給水ライン１８を設け、バイパスライン２８が蓄熱給水ライン１８に接続されて、飽和蒸気と飽和水がともにバイパスライン２８ならびに蓄熱給水ライン１８を通して蓄熱装置１５，３０に導入することも可能である。
【０１０８】
本発明によれば、蓄熱運転モードから放熱運転モードへの切り替え直後から必要な過熱蒸気を生成することができ、発電量の増加が可能となる。
【０１０９】
また、化石燃料あるいは化石燃料とバイオマス燃料を燃焼する発電プラントの場合は、負荷変化率の向上が図れる。すなわち、発電プラントの負荷変化を高速で行う際に生じるボイラ入熱量の一時的な過多を、当該発電プラントの蓄熱システムにより容易に平滑化できるため、所定の負荷に短時間で到達することができる。
【０１１０】
さらに蒸発器および（あるいは）過熱器の加熱源として太陽熱を用いる蓄熱式発電プラントは、特に日本国内のように日射量の時間変動の大きい国や地域を対象とした蓄熱式発電プラントとして有効である。
【０１１１】
また、加熱源として太陽熱を用いる蓄熱式発電プラントでは、例えば、日中は蓄熱運転モードでの運転を行い、夜間に放熱運転モードを行うことにより、１日中発電することができる。
【符号の説明】
【０１１２】
１：給水ポンプ、
２：給水ライン、
３：給水弁、
５：主蒸気ライン、
７：蒸気タービン、
８：発電機、
１３：蓄熱蒸気ライン、
１５：蓄熱装置、
１６：蓄熱戻りライン、
１８：蓄熱給水ライン、
２０：蒸発器、
２１：汽水分離器、
２２：飽和蒸気ライン、
２３：過熱器、
２４：貯留タンク、
２８：バイパスライン、
２９：減圧弁、
３０：高温蓄熱装置、
３１：低温蓄熱装置。
【図１】
0006419512.tif 000002
【図２】
0006419512.tif 000003
【図３】
0006419512.tif 000004
【図４】
0006419512.tif 000005
【図５】
0006419512.tif 000006
【図６】
0006419512.tif 000007
【図７】
0006419512.tif 000008
【図８】
0006419512.tif 000009
【図９】
0006419512.tif 000010
【図１０】
0006419512.tif 000011
【図１１】
0006419512.tif 000012
【図１２】
0006419512.tif 000013